(57)【要約】      （修正有）【課題】足裏のつぼを効果的に刺激する健康器具や健康マットとして活用できると共に、子供や高齢者が使用しても安全なロープを有する板状部材を提供する。【解決手段】板材２と、板材２に凸状に配されるロープ３とを備えることを特徴とする。ロープの凹凸は足裏などのツボを効果的に刺激することを見出し、これを敷設部材に配して、足で踏みつけるとロープ３が足の裏を刺激する。ボルダリングやフリークライミングなどの施設の壁掛け部材等として使用して、凸状に配されるロープ３や連結部材５に足や手を掛けたりするときに使用すると、握り易い。【選択図】図１
0003182466.tif 000002
【実用新案登録請求の範囲】
【請求項１】
板材と、板材に凸状に配されるロープとを備えることを特徴とするロープを有する板状部材。
【請求項２】
前記板材に前記ロープの一部が埋設される溝が形成されていることを特徴とする請求項１記載のロープを有する板状部材。
【請求項３】
前記溝に前記ロープを通す穴が形成され、前記穴を介して前記ロープが張設されていることを特徴とする請求項２記載のロープを有する板状部材。
【請求項４】
足裏のつぼに対応するように前記ロープに結び目を作ることを特徴とする請求項２記載のロープを有する板状部材。
【請求項５】
前記ロープの所定間隔で配され、この間隔が足のサイズよりも間隔が狭いことを特徴とする請求項１記載のロープを有する板状部材。
【請求項６】
前記ロープを有する板状部材を連結部材を介して連結させることを特徴とする請求項１ないし５のいずれか１項記載のロープを有する板状部材。
【請求項７】
前記連結部材を介して連結して折り畳み可能に構成されていることを特徴とする請求項５記載のロープを有する板状部材。
【考案の詳細な説明】
【背景技術】
【０００１】
この考案は、足裏などを刺激する健康器具として使用したり、ボルダリングやフリークライミングの道具などに使用できるロープを有する板状部材に関する。
【従来の技術】
【０００２】
従来、足裏などを刺激する健康器具の一つとして、青竹踏みと呼ばれる、竹を所定の大記載に切断したものが知られている。しかし、竹を所定の大きさに切断するだけでは、足裏のつぼを効果的に刺激することができない問題を有する。
【０００３】
一方、特許文献１としては、ゴム紐（１）と板（２）の上に２本の溝（３）を設け、車輪の付いた斜面台（４）２個を溝（３）の上にのせ、板の裏面で輪にしたロープ（１１）に２個の斜面台（４）を接続し、滑車（１０）にロープ（１１）を引っかけたＯ脚矯正運動健康器具が開示されている。
また、近年、ボルダリング(Bouldering)と呼ばれるフリークライミングの一種のスポーツが注目を集めている。ボルダリング(Bouldering)とは、フリークライミングの一種で２ｍから４ｍ程度の岩や石を確保無しで登るスポーツである。室内クライミング施設（クライミングジム、ボルダリングジムなど）では岩の変わりに色の付いた様々な形のホールドと呼ばれる突起物を壁に付け、この突起物に足を掛けたり手を掛けて登るものであり、簡易なロッククライミングである（道具を使わないで、自らの手足だけで岩を登る行為をするために「フリークライミング」とも呼ばれる。）。そして、ボルダリング(Bouldering)の施設を家庭で準備することも増えている。なお、「室内ロッククライミング」や「フリークライミング」の壁掛け部材（施設用具）の確保は、難しいと言われている。
【先行技術文献】
【特許文献】
【０００４】
【特許文献１】特開２０００−６０９１０号公報
【考案の開示】
【考案が解決しようとする課題】
【０００５】
健康器具としての従来の青竹踏みは、竹の選定、特に足裏のつぼに効く大きさの選定が難しい。また、広い敷き設範囲に配置することが難しく、設置作業などに労力がかかる問題を有する。
一方、間伐材、廃材や廃棄ロープの処理が問題になっているところ、これらを使用して、足裏などの刺激する健康器具を製造できれば、環境に配慮した健康器具が実現可能である。
ところで、本考案者の研究によれば、ロープには、複数のストランドを束ねて作られて、二重や三重の凸部が形成されているが、この凸部は足裏のつぼを刺激するのに非常に効果があることを見出した。
また、ボルダリング(Bouldering)や室内ロッククライミングなどの施設を準備することは、大掛かりととなり、安全性を確保する上でも難しい問題を有する。しかし、間伐材、廃材や廃棄ロープなどを使用して、簡易に安全なボルダリング(Bouldering)などの施設を準備できれば、過程などでの普及が図られることが期待される。
ところで、本考案者の研究によれば、ロープには、複数のストランドを束ねて作られて、二重や三重の凸部が形成されているが、この凸部を利用したり、廃材等に穴や溝を作れば、ロープを確実に安全に配することを見出した。
【０００６】
そこで本考案の目的は、足裏のつぼを効果的に刺激する健康器具や健康マットとして活用でき、また、ボルダリングや室内ロッククライミングやフリークライミングなどの施設に活用できると共に、間伐材、廃材や廃棄ロープ等を活用して容易に製造することができ、子供や高齢者が使用しても安全なロープを有する板状部材を提供することを目的とする。
【課題を解決するための手段】
【０００７】
本考案のロープを有する板状部材は、板材と、板材に凸状に配されるロープとを備えることを特徴とする。ロープは、紐や針金などの細長い物品をさらにより合わせたものであるが、縒りロープ、編みロープや、登山の用途に用いるものをザイルと呼ばれるものなどがあり、これらを使用可能である。廃棄されたロープを使用しても良い。
本考案によれば、板材に凸状に配されるロープとを備えるロープを有する板状部材を敷設して、足で踏みつけると前記ロープが足の裏を刺激する。本考案は、ロープのこれらの性質を巧みに利用して、足の裏のつぼに有効に効くように配している。
また、本考案によれば、ボルダリングやフリークライミングなどの施設の壁掛け部材等として使用すると、凸状に配されるロープに足を掛けたり手を掛けたりするときに丁度良い。つまり、ボルダリング等に使用するときに、握り易いなどのロープのこれらの性質を巧みに利用できる。
【０００８】
本考案としては、前記板材に前記ロープの一部が埋設される溝が形成されていることを特徴とする。
本考案によれば、前記溝によりロープが移動するようなことがなく、足裏のつぼに効く作用を高めると共に、ロープが緩んで垂れ下がるような事態を防止する。
また、本考案によれば、ボルダリングやフリークライミングなどの施設の壁掛け部材等として使用すると、凸状に配されるロープに足を掛けたり手を掛けたりするときにも、ロープが移動することなく、足を掛けたり手を掛けても安全である。
【０００９】
本考案としては、前記溝に前記ロープを通す穴が形成され、前記穴を介して前記ロープが張設されていることを特徴とする。
本考案によれば、ロープを上記穴から裏側に通すことによりロープを張った状態にし、緩むことを防止できると共に、一本のロープを使用して多用な模様の配列が可能である。また、ロープの結び目を裏側にして、上記穴を介してロープの結び目を固く固定することもできる。
【００１０】
本考案としては、足裏のつぼに対応するように前記ロープに結び目を作るか、又は、ボルダリングやフリークライミングなどの施設用具として足や手を掛けたりするときの大きさに前記ロープに結び目を作ることを特徴とする。
本考案によれば、ロープに結び目を作ることで、この結び目が足裏のつぼを刺激する。特に、足裏のくぼみ部（土踏まず）の位置を刺激したり、手のひらなどを刺激するのに、ロープの結び目は好適である。
また、本考案によれば、ボルダリングやフリークライミングなどの施設の壁掛け部材等として使用するときに、ロープに結び目を作ることで、この結び目に足を掛けたり手を掛けたりするときの大きさを調整するうえで好適である。
【００１１】
本考案としては、前記ロープの所定間隔で配され、この間隔が足のサイズよりも間隔が狭いことを特徴とする。
本考案によれば、ロープが配された箇所を踏みつけると、足裏のどこかに接触するので、足裏のつぼを刺激することになる。この間隔は大人と子供で相違するが、数センチメートル幅から長くても２０センチメートル程度の幅で配置することで、歩行するときに足裏などを刺激する状態になる。
【００１２】
本考案としては、前記ロープを有する板状部材を連結部材を介して複数個連結させることで任意の大きさで使用できる。
本考案によれば、運動場、体育館や保養施設などの所定箇所に敷設配置したり壁掛け配置するときに、連結部材を介して所定の大きさに設定して、その使用場所に応じた大きさや形状に配置することができる。
【００１３】
本考案としては、前記連結部材をロープを介して連結して折り畳み可能に構成されていることを特徴とする。
本考案によれば、連結部材としてロープを使用しているので、連結金具等を使用する場合に比較して、安全であり、また、本発明で使用するロープを使用して効果的に連結組立てが可能である。
【考案の効果】
【００１４】
本考案によれば、板に配したロープを踏むと、足裏のつぼを刺激するので、子供の遊技場や高齢者施設の所定の箇所に敷設して、健康増進に役立てることができるが、板に形成した溝や穴を利用してロープを確実に固定することができる。また、本考案によれば、ボルダリングやフリークライミングなどの施設の壁掛け部材等として使用して、凸状に配されるロープに足を掛けたり手を掛けたりするときに使用できるが、板に形成した溝や穴を利用してロープを確実に固定することができる。
連結手段を介して連結可能であるので、容易に組み立てられるとともに、任意の大きさに敷設して使用できる。また、連結部材としてロープを使用しているので、連結金具等を使用する場合に比較して、安全であり、幼児の運動器具としてや、高齢者の健康器具としての活用が期待される。
そして、本発明によれば、間伐材、廃材や廃棄ロープを使用して効果的に連結組立てが可能であり、安価で安全に製造可能である。
【図面の簡単な説明】
【００１５】
【図１】本考案のロープを有する板状部材の第１の実施の形態（敷設部材）を示す正面図である。
【図２】上記第１の実施の形態の背面図である。
【図３】上記第１の実施の形態のロープの凸部を説明する図である。
【図４】上記第１の実施の形態のロープの結び目を凸部とした例を説明する図である。
【図５】本考案の第２の実施の形態のロープを有する板状部材を示す正面図である。
【図６】本考案の第３の実施の形態のロープを有する板状部材を示す正面図である。
【図７】上記第１の実施の形態を連結した状態を示す正面図である。
【図８】上記第１と第２の実施の形態を連結した状態を示す正面図である。
【図９】本考案のロープを有する板状部材の第４の実施の形態（壁掛け部材）を示す正面図である。
【考案の実施の形態】
【００１６】
以下、本考案の一実施の形態について図面を参照しながら説明する。
【００１７】
（第１の実施の形態）
本実施の形態のロープを有する板状部材１は、図１及び図２に示すように、板材２と、この板材２に取り付けられるロープ３とを備え、板材２に沿うようにロープ３が配置されている。板材２には、所定間隔で溝４が形成され、該溝４に板材２を貫通する穴６が形成されている。穴６は、溝４に限らず、板材２の表面の溝ではない箇所に設けても良い。板材２の背面には、補強桟７が所定間隔で取り付けられている。なお、補強桟７を配することなく、板材２の両面にロープ３を配して、板材２の両面が使用可能にしても良い。本実施の形態では、板材２は、木製のものであるが、合成樹脂材でも使用可能である。
【００１８】
ロープ３は、上記板材２の溝４に沿って配され、その径の半分程度が溝４から突出している。ロープ３は、溝４から露出した部分を使用して、擦れたりした場合は、裏返すなどして、隠れた部分を回転させるようにして使用すると良い。
上記ロープ３は、登山用ロープなどがあるが、足裏の刺激としては、径の大きさが８ｍｍ〜３０ｍｍ程度が好ましい。また、上記ストランドにより大きく凸状３ａになるものが好ましい。また、木綿や縄などの天然繊維よりもナイロン製、ポリエステル製、ポリエチレン製などのロープが好ましい。ナイロン製ロープは強度が高く、伸び易い。伸びが負荷を吸収するので衝撃にもよく耐える。ポリエステル製のロープは、ナイロン並みの強度を持つが伸び率はナイロンほど高くない。しかし、水に濡れると強度が増す特徴があり、運動場など外に配置する時に使用することが好ましい。ポリエチレン製のロープは、比較的安価で軽いものが多い。しかし、熱や紫外線に弱い場合がある。ビニロンロープなどの化学繊維が好ましい。
【００１９】
ロープは、紐や針金などの細長い物品をさらにより合わせたものであるが、縒りロープ、編みロープや、登山の用途に用いるものをザイルと呼ばれるものなどがあるが、これらを使用可能である。縒りロープは、繊維を縒り合わせた糸（ヤーン）を更に縒り合わせて作った子縄（ストランド）を縒り合わせたロープであり、ヤーンとストランドの縒りの方向を逆にしてあるため簡単に解けなくなっている。このような３本のストランドを縒り合わせた三つ縒りが多い。
【００２０】
上記ロープ３は、その凹凸の凸状部３ｂが足の裏のつぼを刺激する。足の裏を刺激するためには、前記ロープの所定間隔Ｈが足のサイズよりも間隔が狭くする必要がある。足の裏などに数本が接触する間隔で配しても良い。足裏のつぼを刺激したり、手のひらなどを刺激したり、背中のつぼを刺激したりするのに、ロープ３の凸部３ｂは、足裏などのつぼを刺激するのに効果がある。
【００２１】
次に、本実施の形態のロープを有する板状部材１を運動場、体育館や駐車場に配置する場合には、連結部材を介して連結して、所定の大記載に使用する。図７は、ロープ３を使用して連結させたものである。連結金具等を使用する場合に比較して、安全である。また、上記板材２の端部はアールが施されており、角部２ａとして接触する危険を防止すると共に、連結した３をロープを有する板状部材１を折り畳み易くしている。
【００２２】
（第２の実施の形態）
本実施の形態のロープを有する板状部材１は、図５及び図６に示すように、ロープ３の所定間隔に結び目３ａを設けたものである。足裏のくぼみ部（土踏まず）の位置を刺激したち、手のひらなどを刺激するのに、ロープ３の結び目３ａは好適である。また、背中を刺激する場合にも、足裏に対応したつぼに形成することが好ましい。そして、この結び目を板材２に形成した溝４に埋め込むようにすることで、凸状体３ａを調節すると共に、結び目３ａが動かないようにすることができる。
【００２３】
（第３の実施の形態）
本実施の形態のロープを有する板状部材１は、図６に示すように、ロープ３を二本間隔で設けたものである。二本同時の効果としては、脊髄を介して背中に当てると、背筋のつぼを刺激する。そっして、所定か間隔で複数配するものであり、本実施の形態では、これをほぼ円周形状に配置したものである。そして、上記第１の実施の形態と同じ様に、板材２に形成された溝４に埋め込まれているとともに、溝４に設けられた穴６に通されて、しっかりと張った状態で固定されている。したがって、ロープ３が緩むことが防止されている。また、ロープ３の結び目３ａを移動しないようにするためにも上記穴６を利用すると良い。
【００２４】
図８は、上記第１の実施形態１Ｂと第２の実施の形態１Ｃを連結部材５を介して連結させたものである５をロープ３を介して連結して、連結された敷設部材１同士が折り畳み可能に構成されている。したがって、コンパクトに折り畳んで、所定の場所で広げるように展開すると、図４に示すように、また、連結金具等を使用していないので、安全な連結状態になる。
【００２５】
上記説明では、地面にロープを有する板状部材１Ａ，１Ｂ，１Ｃを設置する例で説明したが、ロープを有する板状部材１Ａ，１Ｂ，１Ｃを壁に沿って設置することができる。
【００２６】
（第４の実施の形態）
本実施の形態のロープを有する板状部材１Ｄは、図９に示すように、上記第１ないし第２の実施の形態１Ａ，１Ｂ，１Ｃを連結部材（ロープ）５を介して連結して、これを壁掛け部材に使用したものである。すなわち、ボルダリングやフリークライミングなどの施設の壁掛け部材等として使用して、上記ロープ３に足を掛けたり手を掛けたりして使用するときのホールド（突起物）等として使用する。また、連結部材５がロープ３であるために、この連結部材５としてのロープに足や手を掛けたりできる。そして、上記第１の実施の形態と同じ様に、板材２に形成された溝４に埋め込まれているとともに、溝４に設けられた穴６に通されて、張った状態で固定されている。また、ロープ３の結び目３ａは、足や手の大きさに対応して、その大きさや形状を変えて使用することができる。
したがって、本実施の形態のロープを有する板状部材１Ｄによれば、ボルダリングやフリークライミングなどの施設の壁掛け部材等として使用して、凸状に配されるロープ３や連結部材６に足や手を掛けたりするときに使用すると、握り易い。そして、板２に形成した溝４や穴６を利用してロープ３を確実に固定することができるので、フリークライミング等の運動用具として使用しても、安全である。
【００２７】
以上、本実施の形態では、板状部材１Ａ〜１Ｄは平板状のもので説明したが、断面が円弧状やテーパーを有するものや、所定箇所が曲面形状であるものなど種種のものが使用可能である。
【符号の説明】
【００２８】
１Ａ，１Ｂ，１Ｃ，１Ｄ    ロープを有する板状部材、
２    板材、２ａ  角部、
３    ロープ（ホールド、突起物）、３ａ  ロープの結び目、３ｂ  凸状部（凹凸部）、
４    溝、
５    連結部材、
６    穴、
【図１】
0003182466.tif 000003
【図２】
0003182466.tif 000004
【図３】
0003182466.tif 000005
【図４】
0003182466.tif 000006
【図５】
0003182466.tif 000007
【図６】
0003182466.tif 000008
【図７】
0003182466.tif 000009
【図８】
0003182466.tif 000010
【図９】
0003182466.tif 000011